(57)【要約】【課題】バッテリの不均一な劣化を抑制しつつ、エネルギー密度の向上に寄与する蓄電デバイスを提供すること。【解決手段】蓄電デバイス１は、正極部１０及び負極部２０がセパレータ３０を介して対向し、正極部１０、負極部２０、及びセパレータ３０の周囲に電解質９ｂが設けられた構造を有する電池要素９と、電池要素９を収容する外装体２と、外装体２の電池要素９を覆う領域において形成され、一端が正極部１０に電気的に接続されると共に、他端が外装体２の外部に露出する正極端子７ａ、７ｂと、外装体２の電池要素９を覆う領域において形成され、一端が負極部２０に電気的に接続されると共に、他端が外装体２の外部に露出する負極端子８ａ、８ｂと、を備え、正極端子７ａ、７ｂ及び負極端子８ａ、８ｂは、それぞれ複数設けられる。【選択図】図４
2018170180.tif 000002
【特許請求の範囲】
【請求項１】
正極部及び負極部がセパレータを介して対向し、前記正極部、前記負極部、及び前記セパレータの周囲に電解質が設けられた構造を有する電池要素と、
前記電池要素を収容する外装体と、
前記外装体の前記電池要素を覆う領域において形成され、一端が前記正極部に電気的に接続されると共に、他端が前記外装体の外部に露出する正極端子と、
前記外装体の前記電池要素を覆う領域において形成され、一端が前記負極部に電気的に接続されると共に、他端が前記外装体の外部に露出する負極端子と、を備え、
前記正極端子及び前記負極端子は、それぞれ複数設けられる蓄電デバイス。
【請求項２】
前記外装体は、２枚のラミネートフィルムを張り合わせてなるパウチ型である請求項１に記載の蓄電デバイス。
【請求項３】
前記電池要素は、前記正極部を構成する複数の正極集電体と、前記負極部を構成する複数の負極集電体とが前記セパレータを介して交互に積層された構造を有し、
複数の前記正極端子は、前記正極集電体の互いに異なる位置に形成された複数の正極接続部のいずれかに電気的に接続され、
複数の前記負極端子は、前記負極集電体の互いに異なる位置に形成された複数の負極接続部のいずれかに電気的に接続される請求項２に記載の蓄電デバイス。
【請求項４】
複数の前記正極接続部は、それぞれ前記正極集電体の両端に形成され、
複数の前記負極接続部は、それぞれ前記負極集電体の両端に形成される請求項３に記載の蓄電デバイス。
【請求項５】
前記外装体は、剛性体からなる角型である請求項１に記載の蓄電デバイス。
【発明の詳細な説明】
【技術分野】
【０００１】
本発明は、蓄電デバイスに関する。
【背景技術】
【０００２】
近年、環境問題等を考慮して、モータのみで走行可能な電気自動車や、エンジンとモータとを駆動源とするハイブリッド電気自動車等の電動車両の開発が進んでいる。このような電動車両には、航続距離の観点から、比較的軽量でエネルギー密度が高い車載用バッテリが求められる。例えば特許文献１には、比較的軽量な蓄電デバイスとして、２枚のラミネートフィルムで電池要素を挟み込むように収容する所謂パウチ型のバッテリセルを積層した蓄電デバイスが開示されている。また、例えば特許文献２には、比較的エネルギー密度が高い車載用バッテリとして、捲回電極体を含む電池要素を箱状の電池ケースに収容する所謂角型（プリズマティック）の蓄電デバイスが開示されている。
【０００３】
特許文献１の従来技術は、より詳しくは、電池要素を２枚の長方形のラミネートフィルムで挟み、電池要素の周囲において、互いのラミネートフィルムを融着させてバッテリセルを形成している。また、特許文献１の従来技術は、積層された複数の当該バッテリセルを柱部材により一体化して蓄電デバイスを構成している。そして、当該蓄電デバイスは、長方形の各バッテリセルの互いに対向する短辺のほぼ中央部において、２枚のラミネートフィルムの間から正極端子又は負極端子がそれぞれ導出され、これらの端子を介して充放電を行われる。
【０００４】
一方、特許文献２の従来技術は、より詳しくは、扁平状に捲回された電極体が箱状の電池ケースに収容され、正極端子及び負極端子が形成された蓋体によって開口を塞ぐように構成されている。また、特許文献２の従来技術は、電極体を構成する正極及び負極がそれぞれ集電板を介して正極端子及び負極端子に接続されている。
【先行技術文献】
【特許文献】
【０００５】
【特許文献１】特開２００８−２６９９２６号公報
【特許文献２】特開２０１６−９１７８７号公報
【発明の概要】
【発明が解決しようとする課題】
【０００６】
しかしながら、上記のような蓄電デバイスは、充放電に係る電流が正極端子及び負極端子に集中して流れるため、正極端子及び負極端子の近傍領域において当該電流の二乗に比例して局所的に発熱することになる。このため、電極体は、端子近傍の領域とその他の領域とで不均一に劣化してしまう虞が生じる。また、上記のような蓄電デバイスは、端子近傍で充放電反応が促進されることから、端子近傍において発熱領域が形成され、電極体の中でも端子近傍の局所領域において膨張・収縮が顕著に起こってしまう。これにより、蓄電デバイスは、パウチ型であるか角型であるかを問わず、電極体が局所的に膨張したときの電極体の最大の厚み部分を考慮して外装体の厚みが設計されることから、エネルギー密度を向上させるための小型化が妨げられる虞が生じる。
【０００７】
本発明は、このような状況に鑑みてなされたものであり、その目的とするところは、バッテリの不均一な劣化を抑制しつつ、エネルギー密度の向上に寄与する蓄電デバイスを提供することにある。
【課題を解決するための手段】
【０００８】
＜本発明の第１の態様＞
本発明の第１の態様は、正極部及び負極部がセパレータを介して対向し、前記正極部、前記負極部、及び前記セパレータの周囲に電解質が設けられた構造を有する電池要素と、前記電池要素を収容する外装体と、前記外装体の前記電池要素を覆う領域において形成され、一端が前記正極部に電気的に接続されると共に、他端が前記外装体の外部に露出する正極端子と、前記外装体の前記電池要素を覆う領域において形成され、一端が前記負極部に電気的に接続されると共に、他端が前記外装体の外部に露出する負極端子と、を備え、前記正極端子及び前記負極端子は、それぞれ複数設けられる蓄電デバイスである。
【０００９】
これにより本発明の第１の態様によれば、蓄電デバイスの充放電において蓄電デバイスの外部と電池要素との間に流れる電流が、複数の正極端子及び複数の負極端子に分散され、また複数化により蓄電デバイス内部と正負極端子との間の溶接抵抗が小さくなるため、個々の端子近傍における局所的な発熱と膨張とが緩和されることになる。従って、本発明の第１の態様によれば、バッテリの不均一な劣化を抑制しつつ、エネルギー密度の向上に寄与する蓄電デバイスを提供することができる。
【００１０】
＜本発明の第２の態様＞
本発明の第２の態様は、上記した本発明の第１の態様において、前記外装体は、２枚のラミネートフィルムを張り合わせてなるパウチ型である蓄電デバイスである。これにより、本発明の第２の態様によれば、とりわけ熱膨張の影響が顕著に表れるパウチ型のバッテリに適用されることで、上記した第１の態様と同様の作用効果をより効果的に奏することができる。
【００１１】
＜本発明の第３の態様＞
本発明の第３の態様は、上記した本発明の第２の態様において、前記電池要素は、前記正極部を構成する複数の正極集電体と、前記負極部を構成する複数の負極集電体とが前記セパレータを介して交互に積層された構造を有し、複数の前記正極端子は、前記正極集電体の互いに異なる位置に形成された複数の正極接続部のいずれかに電気的に接続され、複数の前記負極端子は、前記負極集電体の互いに異なる位置に形成された複数の負極接続部のいずれかに電気的に接続される。蓄電デバイスである。
【００１２】
これにより本発明の第３の態様によれば、蓄電デバイスの充放電において、各正極集電体及び各負極集電体は、互いに異なる位置に形成された複数の正極接続部及び複数の負極接続部に分散して電流を授受することができる。そのため、各正極集電体及び各負極集電体の領域ごとの発熱及び膨張を分散して緩和することができるため、上記した第１の態様と同様の作用効果をより効果的に奏することができる。
【００１３】
＜本発明の第４の態様＞
本発明の第４の態様は、上記した本発明の第３の態様において、複数の前記正極接続部は、それぞれ前記正極集電体の両端に形成され、複数の前記負極接続部は、それぞれ前記負極集電体の両端に形成される請求項３に記載の蓄電デバイスである。これにより、本発明の第４の態様によれば、複数の正極接続部及び複数の負極接続部が、各正極集電体及び各負極集電体のそれぞれにおいて両端に形成されているため、発熱領域を最大限離間することができるため、上記した第１の態様と同様の作用効果をより効果的に奏することができる。
【００１４】
＜本発明の第５の態様＞
本発明の第５の態様は、上記した本発明の第１の態様において、前記外装体は、剛性体からなる角型である請求項１に記載の蓄電デバイスである。これにより、本発明の第５の態様によれば、外部からの衝撃に対して頑健である反面、放熱が困難であるプリズマティックタイプのバッテリに適用されることで、上記した第１の態様と同様の作用効果をより効果的に奏することができる他、頑健性との両立が可能になるという作用効果を奏することができる。
【図面の簡単な説明】
【００１５】
【図１】本発明の第１実施形態に係る蓄電デバイスの斜視図である。
【図２】図１中のＡ‐Ａ線に沿う断面を示した断面図である。
【図３】本発明の第１実施形態に係る蓄電デバイスが備える電極体の構成を模式的に示す断面図である。
【図４】本発明の第２実施形態に係る蓄電デバイスが備える電極体の構成を模式的に示す断面図である。
【図５】本発明の第３実施形態に係る蓄電デバイスが備える電極体の構成を模式的に示す構成図である。
【図６】本発明の第４実施形態に係る蓄電デバイスの斜視図である。
【図７】本発明の第５実施形態に係る蓄電デバイスの斜視図である。
【図８】本発明の第６実施形態に係る蓄電デバイスの斜視図である。
【図９】本発明の第７実施形態に係る蓄電デバイスの斜視図である。
【発明を実施するための形態】
【００１６】
以下、図面を参照し、本発明の各実施の形態について詳細に説明する。なお、本発明は以下に説明する内容に限定されるものではなく、その要旨を変更しない範囲において任意に変更して実施することが可能である。また、実施の形態の説明に用いる図面は、いずれも構成部材を模式的に示すものであって、理解を深めるべく部分的な強調、拡大、縮小、または省略などを行っており、構成部材の縮尺や形状等を正確に表すものとはなっていない場合がある。
【００１７】
＜第１実施形態＞
図１は、本発明の第１実施形態に係る蓄電デバイス１の斜視図である。また、図２は、図１中のＡ‐Ａ線に沿う断面を示した断面図である。蓄電デバイス１は、外装体２、複数の正極端子７ａ、７ｂ、複数の負極端子８ａ、８ｂ、及び電池要素９を備える。
【００１８】
外装体２は、上面ラミネートフィルム３と下面ラミネートフィルム４とを張り合わせて形成される。また、上面ラミネートフィルム３及び下面ラミネートフィルム４のそれぞれは、後述する電池要素９を両面から覆う被覆領域５、及び電池要素９の周縁において上面ラミネートフィルム３と下面ラミネートフィルム４とを融着する融着領域６からなる。すなわち、本実施形態に係る蓄電デバイス１の形態は所謂パウチ型である。
【００１９】
上面ラミネートフィルム３及び下面ラミネートフィルム４のそれぞれは、少なくとも表面及び裏面が絶縁性を有する材料からなるが、積層された３枚以上のシートにより構成されている場合には、内部のシートが導電性を備えてもよい。
【００２０】
また、上面ラミネートフィルム３と下面ラミネートフィルム４との間には、図２に示すように、電池要素９が収容されている。電池要素９は、詳細を後述する電極体９ａ及び電解質９ｂからなり、外部から電力が供給されることにより充電することができ、放電することにより外部へ電力を供給することができる。
【００２１】
正極端子７ａ、７ｂは、本実施形態においては上面ラミネートフィルム３の被覆領域５に形成されており、一端が外装体２の内部において電極体９ａに電気的に接続され、他端が外装体２の外部に露出するように形成されている。すなわち、上面ラミネートフィルム３の被覆領域５には、正極端子７ａ、７ｂを露出させるための２つの開口部が形成されている。
【００２２】
負極端子８ａ、８ｂは、本実施形態においては下面ラミネートフィルム４の被覆領域５に形成されており、一端が外装体２の内部において電極体９ａに電気的に接続され、他端が外装体２の外部に露出するように形成されている。すなわち、下面ラミネートフィルム４の被覆領域５には、負極端子８ａ、８ｂを露出させるための２つの開口部が形成されている。
【００２３】
続いて、外装体２の内部に収容された電極体９ａの構成を説明する。図３は、本発明の第１実施形態に係る蓄電デバイス１が備える電極体９ａの構成を模式的に示す断面図である。電極体９ａは、正極部１０、負極部２０、及びセパレータ３０を備える。
【００２４】
正極部１０は、本実施形態においては、複数の平板状の正極集電体１１及び正極リード１２を含む。また、負極部２０は、本実施形態においては、複数の平板状の負極集電体２１及び負極リード２２を含む。そして、複数の正極集電体１１及び複数の負極集電体２１が、複数の平板状のセパレータ３０を介して鉛直方向に交互に積層されている。すなわち、正極集電体１１及び負極集電体２１は、セパレータ３０を介して対向し、周囲に設けられた電解質９ｂ（図３では図示を省略）により電池として機能する。尚、以降の各実施形態の説明においては、特に軸方向を指定しない限り、蓄電デバイス１の厚み方向を鉛直方向と称し、鉛直方向に垂直な方向を水平方向と称するものとする。
【００２５】
複数の正極集電体１１は、一端がセパレータ３０よりも水平方向の外側に向かって突出するように配置され、各正極集電体１１の当該突出部が互いに接続されると共に、正極リード１２の一端と接続される。また、正極リード１２は、電極体９ａにおける正極端子７ａ、７ｂが形成された面まで延在するように設けられ、正極端子７ａ、７ｂの両方に溶着される。すなわち、正極端子７ａ、７ｂは、正極リード１２を介して複数の正極集電体１１に電気的に接続される。
【００２６】
ここで、正極集電体１１は、例えばアルミニウムからなるパンチングメタルであり、セパレータ３０を介して負極集電体２１に対向する領域に、図示しない正極活物質が塗布されている。また、正極リード１２は、導電性を有する材料からなり、正極集電体１１と正極端子７ａ、７ｂとを電気的に接続できれば種々の形状で形成することができるが、電気伝導に係る断面積を広げて抵抗損失を抑制しつつ、省スペース化する観点から、平板状に形成することが好ましい。さらに、正極活物質が塗布されていない正極集電体１１の一端が、正極端子７ａ、７ｂが形成された面まで延在するように設けられることにより、正極リード１２を正極集電体１１の一部で代用してもよい。
【００２７】
複数の負極集電体２１は、正極集電体１１の一端とは反対側の水平方向外側に向かって、負極集電体２１の一端がセパレータ３０よりも突出するように配置され、各負極集電体２１の当該突出部が互いに接続されると共に、負極リード２２の一端と接続される。また、負極リード２２は、電極体９ａにおける負極端子８ａ、８ｂが形成された面まで延在するように設けられ、負極端子８ａ、８ｂの両方に溶着される。すなわち、負極端子８ａ、８ｂは、負極リード２２を介して複数の負極集電体２１に電気的に接続される。
【００２８】
ここで、負極集電体２１は、例えば銅からなるパンチングメタルであり、セパレータ３０を介して正極集電体１１に対向する領域に、図示しない負極活物質が塗布されている。また、負極リード２２は、導電性を有する材料からなり、負極集電体２１と負極端子８ａ、８ｂとを電気的に接続できれば種々の形状で形成することができるが、電気伝導に係る断面積を広げて抵抗損失を抑制しつつ、省スペース化する観点から、平板状に形成することが好ましい。さらに、負極活物質が塗布されていない負極集電体２１の一端が、負極端子８ａ、８ｂが形成された面まで延在するように設けられることにより、負極リード２２を負極集電体２１の一部で代用してもよい。
【００２９】
以上のように、本発明の第１実施形態に係る蓄電デバイス１によれば、蓄電デバイス１の外部との間で行われる充放電に伴う電流は、正極部１０に対しては複数の正極端子７ａ、７ｂに分岐して流れ、負極部２０に対しては複数の負極端子８ａ、８ｂに分岐して流れることになる。そのため、電極体９ａの発熱は、正極端子７ａ、７ｂ及び負極端子８ａ、８ｂのそれぞれの近傍領域に分割されることになり、局所的に顕著な発熱を緩和することができる。また、電極体９ａの部分ごとの発熱が分散されることから、充放電に伴う局所的な膨張領域についても、正極端子７ａ、７ｂ及び負極端子８ａ、８ｂのそれぞれの近傍領域に分割されることになり、個々の近傍領域における膨張量を抑制することができ、外装体２の厚みを小さくして蓄電デバイス１を少スペース化することができる。従って、本発明の第１実施形態に係る蓄電デバイス１によれば、バッテリの不均一な劣化を抑制しつつ、エネルギー密度の向上に寄与することができる。
【００３０】
＜第２実施形態＞
次に、本発明の第２実施形態について説明する。本実施形態の蓄電デバイス１は、外装体２の内部における電極体９ａの構成が上記した第１実施形態の蓄電デバイス１と異なる。以下、第１実施形態と異なる部分について説明することとし、第１実施形態と共通する構成要素については、同じ符号を付して詳細な説明を省略する。
【００３１】
図４は、本発明の第２実施形態に係る蓄電デバイス１が備える電極体１０９ａの構成を模式的に示す断面図である。
【００３２】
本実施形態においては、電極体１０９ａは、正極部１１０、負極部１２０、及びセパレータ１３０をそれぞれ１枚ずつ備える。また、正極部１１０及び負極部１２０は、セパレータ１３０を介して対向しつつ、扁平形状となるように捲回されている。
【００３３】
ここで、電極体１０９ａにおいて、正極端子７ａ、７ｂが形成された面では、負極部１２０よりも正極部１１０が外側になるように配置されている。そして、正極部１１０は、当該外側に位置する部分において、正極端子７ａ、７ｂの両方に溶着される。これにより、正極部１１０は、正極端子７ａ、７ｂと電気的に接続される。尚、図４に示すように、正極部１１０の上記外側の部分よりもさらに外側にセパレータ１３０を延在させる場合には、セパレータ１３０を部分的に開口させることで、正極部１１０と正極端子７ａ、７ｂとの接続を妨げないようにすることができる。
【００３４】
また、電極体１０９ａにおいて、負極端子８ａ、８ｂが形成された面では、正極部１１０よりも負極部１２０が外側になるように配置されている。そして、負極部１２０は、当該外側の部分において、負極端子８ａ、８ｂの両方に溶着される。これにより、負極部１２０は、負極端子８ａ、８ｂと電気的に接続される。尚、図４に示すように、負極部１２０の上記外側の部分よりもさらに外側にセパレータ１３０を延在させる場合には、セパレータ１３０を部分的に開口させることで、負極部１２０と負極端子８ａ、８ｂとの接続を妨げないようにすることができる。
【００３５】
以上のように、本発明の第２実施形態に係る蓄電デバイス１によれば、上記した第１実施形態に係る蓄電デバイス１と同様の理由により、局所的に顕著な発熱を緩和することができ、また、充放電に伴う局所的な膨張を抑制することができる。従って、本発明の第２実施形態に係る蓄電デバイス１によれば、上記した第１実施形態に係る蓄電デバイス１と同様に、バッテリの不均一な劣化を抑制しつつ、エネルギー密度の向上に寄与することができる。
【００３６】
＜第３実施形態＞
次に、本発明の第３実施形態について説明する。本実施形態の蓄電デバイス１は、外装体２の内部における電極体９ａ、１０９ａの構成が上記した第１実施形態及び第２実施形態の蓄電デバイス１と異なる。以下、第１実施形態及び第２実施形態と異なる部分について説明することとし、第１実施形態及び第２実施形態と共通する構成要素については、同じ符号を付して詳細な説明を省略する。
【００３７】
図５は、本発明の第３実施形態に係る蓄電デバイス１が備える電極体２０９ａの構成を模式的に示す構成図である。図５は、より詳しくは、電極体２０９ａの構成、及び電極体２０９ａと各電極との接続形態を分解斜視図的に示す構成図である。
【００３８】
電極体２０９ａは、本実施形態においては、上記した第１実施形態に係る蓄電デバイス１と同様に、正極部２１０としての複数の平板状の正極集電体２１１及び負極部２２０としての複数の平板状の負極集電体２２１を備える。また、電極体２０９ａは、複数の正極集電体２１１及び複数の負極集電体２２１とが鉛直方向に交互に積層され、図示を省略したセパレータ２３０を介して対向するように構成されている。
【００３９】
ここで、それぞれの正極集電体２１１には、互いに異なる位置に複数の正極接続部２１３が形成されている。複数の正極接続部２１３は、図５に示すように、正極集電体２１１の一端側に形成された正極接続部２１３ａと他端側に形成された正極接続部２１３ｂとが、正極集電体２１１の水平方向の両端に向けて突出するように設けられる。そして、正極接続部２１３ａ、２１３ｂのそれぞれは、積層される複数の正極集電体２１１に亘って鉛直方向に重なるように各正極集電体２１１の同じ位置に設けられ、鉛直方向に重なる正極接続部２１３同士が溶着により一体化される。
【００４０】
また、正極集電体２１１の一端側において一体に溶着された複数の正極接続部２１３ａは、一方の正極端子７ａに電気的に接続され、正極集電体２１１の他端側において一体に溶着された複数の正極接続部２１３ｂは、他方の正極端子７ｂに電気的に接続される。すなわち、複数の正極端子７ａ、７ｂは、正極集電体２１１の両端に形成された複数の正極接続部２１３のいずれかに接続され、各正極集電体２１１の両側において充放電に伴う電流を流すことができる。ここで、正極端子７ａ、７ｂと正極接続部２１３との接続態様は、上記した第１実施形態と同様に、種々の構成により可能である。
【００４１】
それぞれの負極集電体２２１は、正極集電体２１１と同様に、互いに異なる位置に複数の負極接続部２２３が形成されている。複数の負極接続部２２３は、図５に示すように、負極集電体２２１の一端側に形成された負極接続部２２３ａと他端側に形成された負極接続部２２３ｂとが、負極集電体２２１の水平方向の両端に向けて突出するように設けられる。そして、負極接続部２２３ａ、２２３ｂのそれぞれは、積層される複数の負極集電体２２１に亘って鉛直方向に重なるように各負極集電体２２１の同じ位置に設けられ、鉛直方向に重なる負極接続部２２３同士が溶着により一体化される。尚、正極接続部２１３と負極接続部２２３とは、互いに鉛直方向に重ならないように配置されている。
【００４２】
また、負極集電体２２１の一端側において一体に溶着された複数の負極接続部２２３ａは、一方の負極端子８ａに電気的に接続され、負極集電体２２１の他端側において一体に溶着された複数の負極接続部２２３ｂは、他方の負極端子８ｂに電気的に接続される。すなわち、複数の負極端子８ａ、８ｂは、負極集電体２２１の両端に形成された複数の負極接続部２２３のいずれかに接続され、各負極集電体２２１の両側において充放電に伴う電流を流すことができる。ここで、負極端子８ａ、８ｂと負極接続部２２３との接続態様は、上記した第１実施形態と同様に、種々の構成により可能である。
【００４３】
以上のように、本発明の第３実施形態に係る蓄電デバイス１によれば、上記した第１実施形態又は第２実施形態に係る蓄電デバイス１と同様の作用効果を奏することに加え、各正極集電体２１１及び各負極集電体２２１の両側において充放電に伴う電流を流すことにより発熱領域を最大限離間することができるため、さらに効果的にバッテリの不均一な劣化を抑制しつつエネルギー密度の向上させることができる。
【００４４】
＜第４実施形態＞
次に、本発明の第４実施形態について説明する。本実施形態の蓄電デバイス３０１は、正極端子３０７ａ、３０７ｂ、及び負極端子３０８ａ、３０８ｂの構成が上記した第１実施形態乃至第３実施形態の蓄電デバイス１と異なる。以下、第１実施形態乃至第３実施形態と異なる部分について説明することとし、第１実施形態乃至第３実施形態と共通する構成要素については、同じ符号を付して詳細な説明を省略する。
【００４５】
図６は、本発明の第４実施形態に係る蓄電デバイス３０１の斜視図である。本実施形態においては、外装体２の内部の電池要素９は、上記した第１実施形態乃至第３実施形態のいずれかの態様と同様である。
【００４６】
本実施形態に係る蓄電デバイス３０１では、正極端子３０７ａ、３０７ｂは、上面ラミネートフィルム３の被覆領域５において、それぞれ環状に形成されて配置されている。また、図６では図示を省略しているが、負極端子３０８ａ、３０８ｂは、正極端子３０７ａ、３０７ｂと同様に下面ラミネートフィルム４の被覆領域５において、それぞれ環状に形成されて配置されている。
【００４７】
以上のように、本発明の第４実施形態に係る蓄電デバイス３０１によれば、上記した第１実施形態乃至第３実施形態に係る蓄電デバイス１と同様の理由により、バッテリの不均一な劣化を抑制しつつ、エネルギー密度の向上に寄与することができる。尚、各電極の数は２つに限定されるものではなく、例えば被覆領域５において上記した環状の正極端子３０７ａ、３０７ｂを水平方向に２つ配設してもよい。
【００４８】
＜第５実施形態＞
次に、本発明の第５実施形態について説明する。本実施形態の蓄電デバイス１は、外装体２の構成が上記した第１実施形態乃至第４実施形態の蓄電デバイス１と異なる。以下、第１実施形態乃至第４実施形態と異なる部分について説明することとし、第１実施形態乃至第４実施形態と共通する構成要素については、同じ符号を付して詳細な説明を省略する。
【００４９】
図７は、本発明の第５実施形態に係る蓄電デバイス４０１の斜視図である。本実施形態においては、外装体４０２の内部の電池要素９は、上記した第１実施形態乃至第４実施形態のいずれかの態様と同様である。
【００５０】
本実施形態に係る蓄電デバイス４０１では、外装体４０２は、例えばアルミニウムの剛性体からなる角型であり、いわゆるプリズマティックタイプのバッテリである。尚、外装体４０２と電池要素９の電極体９ａとの間は絶縁されている。図７においては、複数の蓄電デバイス４０１を図７中のＹ軸で示される方向に複数配置した状態を示している。
【００５１】
蓄電デバイス４０１は、従来の角型バッテリと同様に、図７中のＺ軸で示される方向に外装体４０２から正極端子７ａ及び負極端子８ａが突出するように形成されている。そして、本実施形態では、蓄電デバイス１は、図７中のＸ軸で示される両側方向に外装体４０２から正極端子７ｂ及び負極端子８ｂが突出するように形成されている。
【００５２】
ここで、図７中のＹ軸で示される方向に配置された複数の蓄電デバイス４０１は、正極端子７ａ、７ｂ、及び負極端子８ａ、８ｂのそれぞれがＹ軸方向に並ぶため、対応する各端子を直線的に接続することにより、複数の蓄電デバイス４０１を並列に接続することができる。
【００５３】
一般的には、プリズマティックタイプのバッテリは、筐体が剛性体からなるため、外部からの衝撃に対して頑健である反面、内部の電池反応に伴い発生した熱に対して均一に冷却することが困難である。しかしながら、本実施形態に係る蓄電デバイス４０１は、複数の正極端子７ａ、７ｂ及び複数の負極端子８ａ、８ｂを備えるため、上記した第１実施形態乃至第４実施形態に係る蓄電デバイス１と同様の作用効果と衝撃に対する頑健性を両立することができる。
【００５４】
＜第６実施形態＞
次に、本発明の第６実施形態について説明する。本実施形態の蓄電デバイス５０１は、正極端子７ａ、７ｂ及び複数の負極端子８ａ、８ｂの構成が上記した第５実施形態の蓄電デバイス４０１と異なる。以下、第５実施形態と異なる部分について説明することとし、第５実施形態と共通する構成要素については、同じ符号を付して詳細な説明を省略する。
【００５５】
図８は、本発明の第６実施形態に係る蓄電デバイス５０１の斜視図である。本実施形態においては、外装体５０２の内部の電池要素９は、上記した第５実施形態と同様である。本実施形態の外装体５０２は、直方体形状であり、図８中のＹ軸で示される方向を向く２つ面のうち、一方の面全体が正極端子７ａであり、他方の面全体が負極端子８ａである。また、外装体４０２の図８中のＸ軸で示される方向を向く２つ面のうち、一方の面全体が正極端子７ｂであり、他方の面全体が負極端子８ｂである。尚、図８において、直方体形状の外装体５０２の互い隣接する面は、辺の部分において絶縁されている。
【００５６】
ここで、本実施形態に係る蓄電デバイス５０１は、図８中のＸ軸及びＹ軸で示される方向に複数隣接して配置されることにより、Ｘ軸及びＹ軸で示される方向に直列に接続することができる。これにより、複数の蓄電デバイス５０１を直列に接続する場合に、互いの蓄電デバイス５０１を電気的に導通させるための新たな部材が不要になり、接続の簡素化及び製造コストの削減が可能になる。
【００５７】
以上のように、本発明の第６実施形態に係る蓄電デバイス５０１によれば、上記した第５実施形態に係る蓄電デバイス１と同様の理由により、第５実施形態に係る蓄電デバイス１と同様の作用効果を奏することができる。
【００５８】
＜第７実施形態＞
次に、本発明の第７実施形態について説明する。本実施形態の蓄電デバイス６０１は、正極端子７ａ、７ｂ及び複数の負極端子８ａ、８ｂの構成が上記した第６実施形態の蓄電デバイス１と異なる。以下、第６実施形態と異なる部分について説明することとし、第６実施形態と共通する構成要素については、同じ符号を付して詳細な説明を省略する。
【００５９】
図９は、本発明の第７実施形態に係る蓄電デバイス６０１の斜視図である。本実施形態においては、外装体６０２の内部の電池要素９は、上記した第５実施形態と同様である。本実施形態の外装体６０２は、直方体形状であり、図９中のＹ軸で示される方向を向く２つ面のうち、一方の面に正極端子７ａ、７ｂが形成され、他方の面に負極端子８ａ、８ｂが形成されている。尚、正極端子７ａ、７ｂ及び負極端子８ａ、８ｂの形状は、図６のように環状に形成されてもよい。
【００６０】
ここで、本実施形態に係る蓄電デバイス１は、図９中のＹ軸で示される方向に複数隣接して配置されることにより、Ｙ軸で示される方向に直列に接続することができる。
【００６１】
以上のように、本発明の第７実施形態に係る蓄電デバイス６０１によれば、上記した第５実施形態に係る蓄電デバイス１と同様の理由により、第５実施形態に係る蓄電デバイス１と同様の作用効果を奏することができる。
【００６２】
以上で実施形態の説明を終えるが、本発明は上記した実施形態に限定されるものではない。例えば上記各実施形態では、正極端子７ａ、７ｂ及び負極端子８ａ、８ｂを各２つ設けた態様を示したが、より多くの端子を設けることにより、充放電に伴う電流をさらに分散させることができる。
【符号の説明】
【００６３】
１  蓄電デバイス
２  外装体
７ａ、７ｂ  正極端子
８ａ、８ｂ  負極端子
９  電池要素
１０  正極部
２０  負極部
３０  セパレータ
【図１】
2018170180.tif 000003
【図２】
2018170180.tif 000004
【図３】
2018170180.tif 000005
【図４】
2018170180.tif 000006
【図５】
2018170180.tif 000007
【図６】
2018170180.tif 000008
【図７】
2018170180.tif 000009
【図８】
2018170180.tif 000010
【図９】
2018170180.tif 000011